(57)【要約】  ランダムアクセスのためのユーザ機器（ＵＥ）及び進化型ノードＢ（ｅＮＢ）及び方法の実施形態を本明細書で一般に説明する。ランダムアクセス手順の部分として、ＵＥは、物理ランダムアクセスチャネル（ＰＲＡＣＨ）時間及び周波数リソースの第１の部分で、ＰＲＡＣＨプリアンブルを送信することができ、ＰＲＡＣＨプリアンブルに対するランダムアクセス応答（ＲＡＲ）を含む物理ダウンリンク共用チャネル（ＰＤＳＣＨ）ブロックを受信することができる。ＰＤＳＣＨブロックは、ＰＲＡＣＨリソースの第１の部分に関連するランダムアクセス無線ネットワーク一時識別子（ＲＡ−ＲＮＴＩ）に基づくことができる。したがって、ＵＥは、ＲＡ−ＲＮＴＩを使用して、ＰＤＳＣＨブロックに対する物理ダウンリンク制御チャネル（ＰＤＣＣＨ）ブロックの使用なしに、ＰＤＳＣＨブロックが前記ＵＥのためのものであると判定することができる。いくつかの実施形態では、マシンタイプ通信（ＭＴＣ）のためにＵＥを構成することができる。
2017508361.tif 000002
【特許請求の範囲】
【請求項１】
ハードウェア処理回路を備えるユーザ機器（ＵＥ）であって、
進化型ノードＢ（ｅＮＢ）との間のランダムアクセス手順の部分として、物理ランダムアクセスチャネル（ＰＲＡＣＨ）時間及び周波数リソースの第１の部分でＰＲＡＣＨプリアンブルを送信すること、
ダウンリンクサブフレームの間に前記ｅＮＢから物理ダウンリンク共用チャネル（ＰＤＳＣＨ）ブロックを受信することであって、前記ＰＤＳＣＨブロックがランダムアクセス応答（ＲＡＲ）を含むこと、及び
前記ダウンリンクサブフレームについて物理ダウンリンク制御チャネル（ＰＤＣＣＨ）ブロックの復号を控えることを行うように構成され、
前記ＰＤＳＣＨブロックが、前記ＰＤＳＣＨブロックが前記ＵＥのためのものであることを示すために、第１のランダムアクセス無線ネットワーク一時識別子（ＲＡ−ＲＮＴＩ）に少なくとも部分的に基づき、
前記第１のＲＡ−ＲＮＴＩが、前記ＰＲＡＣＨ時間及び周波数リソースの前記第１の部分に関連付けられるＵＥ。
【請求項２】
前記ハードウェア処理回路が、前記ＰＤＳＣＨブロックが前記ＵＥのためのものであると判定するようにさらに構成され、前記判定が、前記ＵＥによる前記第１のＲＡ−ＲＮＴＩの使用を含み、前記第１のＲＡ−ＲＮＴＩに基づくＰＤＣＣＨブロックの復号を除外する請求項１に記載のＵＥ。
【請求項３】
前記ＵＥによって受信される前記ＰＤＳＣＨブロックが、前記ダウンリンクサブフレームについて１つ以上のダウンリンク信号内に含まれ、
１つ以上のＰＤＣＣＨブロックが前記ダウンリンク信号内に含まれるとき、前記ＰＤＣＣＨブロックが、前記ＵＥによって受信される前記ＰＤＳＣＨブロックとは異なるＰＤＳＣＨブロックの受信に関連付けられる請求項１に記載のＵＥ。
【請求項４】
前記ＲＡＲが、前記ｅＮＢによる前記ＰＲＡＣＨプリアンブルの受信を示す請求項１に記載のＵＥ。
【請求項５】
前記ＰＲＡＣＨ時間及び周波数リソースが複数の部分を含み、各部分が、異なるＰＲＡＣＨプリアンブル送信のために予約され、
各部分についてのＲＡ−ＲＮＴＩが異なる請求項１に記載のＵＥ。
【請求項６】
前記ＰＤＳＣＨブロック内に含まれる周期的冗長検査（ＣＲＣ）ブロックの少なくとも一部が、前記第１のＲＡ−ＲＮＴＩによってスクランブルされる請求項５に記載のＵＥ。
【請求項７】
前記ハードウェア処理回路が、前記第１のＲＡ−ＲＮＴＩを使用して、前記ＣＲＣブロックの少なくとも一部を逆スクランブルし、前記ＰＤＳＣＨデータブロックが前記ＵＥのためのものであると判定するようにさらに構成される請求項６に記載のＵＥ。
【請求項８】
前記ＰＤＳＣＨブロックがメディアアクセス制御（ＭＡＣ）プロトコロルデータ単位（ＰＤＵ）を含み、
前記ＭＡＣ  ＰＤＵが、前記ＲＡＲと、前記第１のＲＡ−ＲＮＴＩを含むヘッダとを含む請求項５に記載のＵＥ。
【請求項９】
前記ハードウェア処理回路が、前記ヘッダと前記第１のＲＡ−ＲＮＴＩとの比較に基づいて、前記ＰＤＳＣＨデータブロックが前記ＵＥのためのものであるであると判定するようにさらに構成される請求項８に記載のＵＥ。
【請求項１０】
前記ＲＡＲの少なくとも一部が、前記第１のＲＡ−ＲＮＴＩに少なくとも部分的に基づくデータスクランブリングシーケンスによってスクランブルされる請求項５に記載のＵＥ。
【請求項１１】
前記第１のＲＡ−ＲＮＴＩが、前記データスクランブリングシーケンスの生成のためのプロセスについてのシード値として使用される請求項１０に記載のＵＥ。
【請求項１２】
前記ＵＥが、小ブロックのトラフィックデータの不定期なレートでの交換を反映するマシンタイプ通信（ＭＴＣ）動作のために構成され、前記小ブロックのトラフィックデータが１０００未満のビットを含み、不定期なレートが毎分１回未満である請求項１に記載のＵＥ。
【請求項１３】
前記ＵＥが、第３世代パートナーシッププロジェクト（３ＧＰＰ）ＬＴＥプロトコルに従って動作するようにさらに構成され、ＰＲＡＣＨプリアンブルが、３ＧＰＰ  ＬＴＥプロトコルに含まれるＭｓｇ−１メッセージであり、ＲＡＲが、３ＧＰＰ  ＬＴＥプロトコルに含まれるＭｓｇ−２メッセージである請求項１に記載のＵＥ。
【請求項１４】
前記ＰＲＡＣＨプリアンブルを送信するように構成され、前記ＰＤＳＣＨブロックを受信するようにさらに構成された１つ以上のアンテナをさらに備える請求項１に記載のＵＥ。
【請求項１５】
ユーザ機器（ＵＥ）によって実施されるランダムアクセスの方法であって、
物理ランダムアクセスチャネル（ＰＲＡＣＨ）プリアンブルを送信するステップと、
前記ＰＲＡＣＨプリアンブルに対するランダムアクセス応答（ＲＡＲ）を含む物理ダウンリンク共用チャネル（ＰＤＳＣＨ）ブロックを受信するステップと、
前記ＰＤＳＣＨブロックに第１のランダムアクセス無線ネットワーク一時識別子（ＲＡ−ＲＮＴＩ）を適用し、前記ＰＤＳＣＨブロックが前記ＵＥのためのものであると判定するステップとを含み、
前記第１のＲＡ−ＲＮＴＩが、前記ＰＲＡＣＨプリアンブルが送信される専用ＰＲＡＣＨリソースの第１の部分を反映する方法。
【請求項１６】
前記ＰＤＳＣＨブロックが、ダウンリンクサブフレームについて１つ以上のダウンリンク信号の部分として受信され、
前記ＰＤＳＣＨブロックが、前記第１のＲＡ−ＲＮＴＩに少なくとも部分的に基づき、前記ＰＤＳＣＨブロックに対する物理ダウンリンク制御チャネル（ＰＤＣＣＨ）ブロックの使用なしに、前記ＰＤＳＣＨブロックが前記ＵＥのためのものであるという前記ＵＥによる判定が可能となり、
方法が、前記ダウンリンク信号内に含まれる物理ＰＤＣＣＨブロックの復号を控えるステップをさらに含む請求項１５に記載の方法。
【請求項１７】
前記ダウンリンク信号が、ＯＦＤＭシンボルのグループにまたがる１つ以上の直交周波数分割多重（ＯＦＤＭ）信号を含み、
前記ＰＤＣＣＨブロックが、ＯＦＤＭシンボルの前記グループの第１の部分に含まれ、
前記ＰＤＳＣＨブロックが、第１の部分とは重複しないＯＦＤＭシンボルの前記グループの第２の、後の部分内に含まれる請求項１６に記載の方法。
【請求項１８】
前記専用ＰＲＡＣＨリソースが複数の部分を含み、各部分についてのＲＡ−ＲＮＴＩが異なる請求項１５に記載の方法。
【請求項１９】
前記ＲＡＲが前記ＵＥのためのものであるであると判定したとき、前記ＲＡＲを復号するステップをさらに含む請求項１５に記載の方法。
【請求項２０】
前記ＰＤＳＣＨブロックが、メディアアクセス制御（ＭＡＣ）プロトコロルデータ単位（ＰＤＵ）を含み、前記ＭＡＣ  ＰＤＵが、前記ＲＡＲと、前記第１のＲＡ−ＲＮＴＩを含むヘッダとを含む請求項１５に記載の方法。
【請求項２１】
前記ＰＤＳＣＨブロックが周期的冗長検査（ＣＲＣ）ブロックを含み、前記ＣＲＣブロックの少なくとも一部が前記第１のＲＡ−ＲＮＴＩによってスクランブルされる請求項１５に記載の方法。
【請求項２２】
前記ＲＡＲの少なくとも一部が、前記第１のＲＡ−ＲＮＴＩに少なくとも部分的に基づくデータスクランブリングシーケンスによってスクランブルされる請求項１８に記載の方法。
【請求項２３】
ランダムアクセスのための動作を実施するための１つ以上のプロセッサによる実行のための命令を含むコンピュータプログラムであって、前記動作が、
進化型ノードＢ（ｅＮＢ）との間のランダムアクセス手順の部分として物理ランダムアクセスチャネル（ＰＲＡＣＨ）プリアンブルを送信することであって、前記送信が、ＰＲＡＣＨ時間及び周波数リソースの第１の部分で実施されること、
ダウンリンクサブフレームの間に前記ｅＮＢから物理ダウンリンク共用チャネル（ＰＤＳＣＨ）ブロックを受信することであって、前記ＰＤＳＣＨブロックがランダムアクセス応答（ＲＡＲ）を含むこと、及び
前記ダウンリンクサブフレームについて物理ダウンリンク制御チャネル（ＰＤＣＣＨ）ブロックの復号を控えること
を行うように前記１つ以上のプロセッサを構成し、
前記ＰＤＳＣＨブロックが、前記ＰＲＡＣＨ時間及び周波数リソースの前記第１の部分ついての第１のランダムアクセス無線ネットワーク一時識別子（ＲＡ−ＲＮＴＩ）に少なくとも部分的に基づくコンピュータプログラム。
【請求項２４】
前記ＰＲＡＣＨ時間及び周波数リソースが複数の部分を含み、各部分が、異なるＰＲＡＣＨプリアンブル送信のために予約され、
各部分についてのＲＡ−ＲＮＴＩが異なり、
前記ＰＤＳＣＨブロック内に含まれる周期的冗長検査（ＣＲＣ）ブロックの少なくとも一部が、前記第１のＲＡ−ＲＮＴＩによってスクランブルされる請求項２３に記載のコンピュータプログラム。
【請求項２５】
ＰＲＡＣＨ時間及び周波数リソースの第１の部分で、ユーザ機器（ＵＥ）との間のランダムアクセス手順の部分として物理ランダムアクセスチャネル（ＰＲＡＣＨ）プリアンブルを受信すること、
前記ＵＥでの受信のために、前記ＰＲＡＣＨプリアンブルに対するランダムアクセス応答（ＲＡＲ）を含む物理ダウンリンク共用チャネル（ＰＤＳＣＨ）ブロックを送信することであって、前記ＰＤＳＣＨブロックが、前記ＰＲＡＣＨリソースの前記第１の部分ついての第１のランダムアクセス無線ネットワーク一時識別子（ＲＡ−ＲＮＴＩ）に少なくとも部分的に基づくこと、
前記ＵＥがマシンタイプ通信（ＭＴＣ）動作のために構成されるとき、前記ＰＤＳＣＨブロックに対する物理ダウンリンク制御チャネル（ＰＤＣＣＨ）ブロックの送信を控えること
を行うように構成されたハードウェア処理回路を備える進化型ノードＢ（ｅＮＢ）。
【請求項２６】
前記ＰＤＳＣＨブロックが、前記ＰＤＳＣＨブロックが前記ＵＥのためのものであることを示すために、前記第１のＲＡ−ＲＮＴＩに少なくとも部分的に基づく請求項２５に記載のｅＮＢ。
【請求項２７】
前記ＰＲＡＣＨリソースが複数の部分を含み、各部分が異なるＲＡ−ＲＮＴＩに関連付けられる請求項２５に記載のｅＮＢ。
【請求項２８】
前記ＰＤＳＣＨブロック内に含まれる周期的冗長検査（ＣＲＣ）ブロックの少なくとも一部が、前記第１のＲＡ−ＲＮＴＩによってスクランブルされる請求項２７に記載のｅＮＢ。
【請求項２９】
前記ＰＤＳＣＨブロックが、前記第１のＲＡ−ＲＮＴＩを含むメディアアクセス制御（ＭＡＣ）プロトコロルデータ単位（ＰＤＵ）を含む請求項２７に記載のｅＮＢ。
【請求項３０】
前記ＲＡＲの少なくとも一部が、前記第１のＲＡ−ＲＮＴＩに少なくとも部分的に基づくデータスクランブリングシーケンスによってスクランブルされる請求項２７に記載のｅＮＢ。
【請求項３１】
前記ハードウェア処理回路が、
第２のＵＥに第２のＰＤＳＣＨブロックを送信し、
前記第２のＵＥがＭＴＣ動作のために構成されないとき、前記第２のＰＤＳＣＨブロックについての受信情報を含む第２のＰＤＣＣＨブロックを送信する
ようにさらに構成される請求項２５に記載のｅＮＢ。
【請求項３２】
前記ＰＲＡＣＨプリアンブルを受信するように構成され、前記ＰＤＳＣＨブロックを送信するようにさらに構成された１つ以上のアンテナをさらに備える請求項２５に記載のｅＮＢ。
【請求項３３】
請求項２３又は２４に記載のコンピュータプログラムを記憶したコンピュータ読取り可能な記憶媒体。
【発明の詳細な説明】
【技術分野】
【０００１】
優先権の主張
本願は、参照によりその全体が本明細書に組み込まれる２０１４年２月２４日出願の米国仮特許出願第６１／９４３９７９号の優先権を主張する。
【背景技術】
【０００２】
実施形態はワイヤレス通信に関する。いくつかの実施形態は、３ＧＰＰ（第３世代パートナーシッププロジェクト）ネットワーク、３ＧＰＰ  ＬＴＥ（ロングタームエボリューション）ネットワーク、及び３ＧＰＰ  ＬＴＥ−Ａ（ＬＴＥアドバンス）ネットワークを含むワイヤレスネットワークに関するが、実施形態の範囲はこの点で限定されない。いくつかの実施形態は、カバレッジエンハンスメントモードでの動作に関する。いくつかの実施形態はマシンタイプ通信（ＭＴＣ：Ｍａｃｈｉｎｅ  Ｔｙｐｅ  Ｃｏｍｍｕｎｉｃａｔｉｏｎ）に関する。いくつかの実施形態はランダムアクセス手順に関する。
【発明の概要】
【０００３】
ワイヤレスネットワークは、マシンタイプ通信（ＭＴＣ）動作のために構成されたユーザ機器（ＵＥ）又は他のデバイスと通信することができる。したがって、ＵＥとネットワークとの間で小ブロックのデータを不定期なレートで交換することができる。いくつかのケースでは、ＭＴＣ  ＵＥの性能能力又は要件が、デバイスコスト又は電力使用量などの理由で他のＵＥと比べて低減されることがある。一例として、ＭＴＣ  ＵＥは、処理能力及び／又はメモリが低減されて設計されることがある。別の例として、ＭＴＣ  ＵＥは、省電力状態又は他の類似の状態で動作できることがある。これら及び他のケースでは、ＭＴＣ  ＵＥ及び他のＵＥは、ネットワークとの通信のための処理要件の低減から恩恵を受けることができ、したがって関連する方法及びシステムが一般的に求められている。具体的には、そのような方法及びシステムは、ＵＥとネットワークとの間の通信を確立又は再確立するためのランダムアクセス手順に適用可能とすることができる。
【図面の簡単な説明】
【０００４】
【図１】いくつかの実施形態による３ＧＰＰネットワークの機能図である。
【図２】いくつかの実施形態によるユーザ機器（ＵＥ）のブロック図である。
【図３】いくつかの実施形態による進化型ノードＢ（ｅＮＢ）のブロック図である。
【図４】ＵＥとｅＮＢとの間のコンテンションベース及び非コンテンションベースのランダムアクセス手順の例を示す図である。
【図５】いくつかの実施形態によるランダムアクセスの方法の動作を示す図である。
【図６】いくつかの実施形態による物理ダウンリンク共用チャネル（ＰＤＳＣＨ）ブロック及びメディアアクセス制御（ＭＡＣ）プロトコロルデータ単位（ＰＤＵ）の例を示す図である。
【図７】いくつかの実施形態によるランダムアクセスの別の方法の動作を示す図である。
【発明を実施するための形態】
【０００５】
以下の説明及び図面は、当業者が特定の実施形態を実施することが可能となるように特定の実施形態を十分に示す。他の実施形態は、構造的、論理的、電気的、プロセス、及び他の変更を組み込むことができる。いくつかの実施形態の部分及び特徴が、他の実施形態部分及び特徴に含まれ、又は他の実施形態部分及び特徴の代わりに使用されることがある。特許請求の範囲に記載の実施形態は、そうした特許請求の範囲のすべての利用可能な均等物を包含する。
【０００６】
図１は、いくつかの実施形態による３ＧＰＰネットワークの機能図である。ネットワークは、Ｓ１インタフェース１１５を通じて互いに結合された無線アクセスネットワーク（ＲＡＮ）（たとえば、図示されるように、Ｅ−ＵＴＲＡＮ又は進化型ユニバーサル地上無線アクセスネットワーク）１００及びコアネットワーク１２０（たとえば、進化型パケットコア（ＥＰＣ）として示される）を備える。便宜上、及び簡潔のために、コアネットワーク１２０並びにＲＡＮ１００の一部だけを示す。
【０００７】
コアネットワーク１２０は、モビリティ管理エンティティ（ＭＭＥ）１２２、サービングゲートウェイ（サービングＧＷ）１２４、及びパケットデータネットワークゲートウェイ（ＰＤＮ  ＧＷ）１２６を含む。ＲＡＮ１００は、ユーザ機器（ＵＥ）１０２と通信するための進化型ノードＢ（ｅＮＢ）１０４（これは基地局として動作することができる）を含む。ｅＮＢ１０４は、マクロｅＮＢ及び低電力（ＬＰ）ｅＮＢを含むことができる。いくつかの実施形態によれば、ＵＥ１０２は、ｅＮＢ１０４との間のランダムアクセス手順の部分として、物理ランダムアクセスチャネル（ＰＲＡＣＨ）プリアンブルを送信することができる。ＵＥ１０２は、ダウンリンクサブフレームの間にｅＮＢ１０４から物理ダウンリンク共用チャネル（ＰＤＳＣＨ）ブロックを受信することができ、ダウンリンクサブフレームについて物理ダウンリンク制御チャネル（ＰＤＣＣＨ）ブロックの復号の受信を控えることができる。
【０００８】
ＭＭＥ１２２は、レガシサービングＧＰＲＳサポートノード（ＳＧＳＮ）の制御プレーンと機能の点で同様である。ＭＭＥ１２２は、ゲートウェイ選択及びトラッキングエリアリスト管理などの、アクセスのモビリティ側面を管理する。サービングＧＷ１２４は、ＲＡＮ１００に対するインタフェースを終了し、ＲＡＮ１００とコアネットワーク１２０との間でデータパケットを経路指定する。さらに、サービングＧＷ１２４は、ｅＮＢ間ハンドオーバについてのローカルモビリティアンカポイントでよく、３ＧＰＰ間モビリティのためのアンカを提供することができる。他の責務は、適法の傍受、課金、及び何らかのポリシー施行を含むことができる。サービングＧＷ１２４及びＭＭＥ１２２を１つの物理ノード又は別々の物理ノードで実装することができる。ＰＤＮ  ＧＷ１２６は、パケットデータネットワーク（ＰＤＮ）に対するＳＧｉインタフェースを終了する。ＰＤＮ  ＧＷ１２６は、ＥＰＣ１２０と外部ＰＤＮとの間でデータパケットを経路指定し、ポリシー施行及び課金データ収集のためのキーノードでよい。ＰＤＮ  ＧＷ１２６はまた、非ＬＴＥアクセスに伴うモビリティについてのアンカポイントをも提供する。外部ＰＤＮは、任意の種類のＩＰネットワーク、並びにＩＰマルチメディアサブシステム（ＩＭＳ）ドメインでよい。ＰＤＮ  ＧＷ１２６及びサービングＧＷ１２４を１つの物理ノード又は別々の物理ノードで実装することができる。
【０００９】
ｅＮＢ１０４（マクロ及びマイクロ）はエアインタフェースプロトコルを終了し、ＵＥ１０２についての第１のコンタクトポイントでよい。いくつかの実施形態では、ｅＮＢ１０４は、限定はしないが、無線ベアラ管理、アップリンク及びダウンリンク動的無線リソース管理及びデータパケットスケジューリング、並びにモビリティ管理などのＲＮＣ（無線ネットワークコントローラ）機能を含む、ＲＡＮ１００についての様々な論理機能を遂行することができる。実施形態によれば、直交周波数分割多元接続（ＯＦＤＭＡ）通信技法に従ってマルチキャリア通信チャネルを介してｅＮＢ１０４との間で直交周波数分割多重（ＯＦＤＭ）通信信号を通信するようにＵＥ１０２を構成することができる。ＯＦＤＭ信号は複数の直交副搬送波を含むことができる。
【００１０】
Ｓ１インタフェース１１５は、ＲＡＮ１００とＥＰＣ１２０とを分離するインタフェースである。Ｓ１インタフェース１１５は、ｅＮＢ１０４とサービングＧＷ１２４との間でトラフィックデータを搬送するＳ１−Ｕと、ｅＮＢ１０４とＭＭＥ１２２との間のシグナリングインタフェースであるＳ１−ＭＭＥという２つの部分に分割される。Ｘ２インタフェースは、ｅＮＢ１０４間のインタフェースである。Ｘ２インタフェースは、Ｘ２−ＣとＸ２−Ｕという２つの部分を含む。Ｘ２−Ｃは、ｅＮＢ１０４間の制御プレーンインタフェースであり、一方、Ｘ２−Ｕは、ｅＮＢ１０４間のユーザプレーンインタフェースである。
【００１１】
セルラネットワークでは、通常は、屋外信号が十分に到達しない屋内エリアにカバレッジを拡張するため、又は駅などの非常に密な電話使用率を有するエリア内でネットワーク容量を増すためにＬＰセルが使用される。本明細書では、低電力（ＬＰ）ｅＮＢという用語は、フェムトセル、ピコセル、又はマイクロセルなどのより狭い（マクロセルよりも狭い）セルを実装するための任意の適切な比較的低電力のｅＮＢを指す。フェムトセルｅＮＢは通常、モバイルネットワークオペレータによってその住居用又は企業用顧客に提供される。フェムトセルは通常、住居ゲートウェイのサイズ以下であり、一般にはユーザのブロードバンド回線に接続する。接続されると、フェムトセルは、モバイルオペレータのモバイルネットワークに接続し、住居フェムトセルについて通常は３０から５０メートルの範囲の余分なカバレッジを提供する。したがって、ＬＰ  ｅＮＢがＰＤＮ  ＧＷ１２６を通じて結合されるので、ＬＰ  ｅＮＢはフェムトセルｅＮＢであることがある。同様に、ピコセルは、建物内（オフィス、ショッピングモール、駅など）、又はより最近では航空機内などの小エリアを通常はカバーするワイヤレス通信システムである。ピコセルｅＮＢは一般に、Ｘ２リンクを通じて、マクロｅＮＢなどの別のｅＮＢに、その基地局コントローラ（ＢＳＣ）機能を通じて接続することができる。したがって、ピコセルｅＮＢがＸ２インタフェースを介してマクロｅＮＢに結合されるので、ＬＰ  ｅＮＢをピコセルｅＮＢと共に実装することができる。ピコセルｅＮＢ又は他のＬＰ  ｅＮＢは、マクロｅＮＢの一部又はすべての機能を組み込むことができる。いくつかのケースでは、これは、アクセスポイント基地局又は企業用フェムトセルと呼ばれることがある。
【００１２】
いくつかの実施形態では、ｅＮＢ１０４からＵＥ１０２へのダウンリンク送信のためにダウンリンクリソースグリッドを使用することができると共に、ＵＥ１０２からｅＮＢ１０４へのアップリンク送信が同様の技法を利用することができる。グリッドは、各スロット内のダウンリンクの物理リソースである、リソースグリッド又は時間−周波数リソースグリッドと呼ばれる時間−周波数グリッドでよい。そのような時間−周波数プレーン表現は、ＯＦＤＭシステムについての一般的な習慣であり、それによって無線リソース割振りについてＯＦＤＭシステムが直感的となる。リソースグリッドの各列及び各行は、それぞれ１つのＯＦＤＭシンボル及び１つのＯＦＤＭ副搬送波に対応する。時間領域内のリソースグリッドの持続時間は、無線フレーム内の１つのスロットに対応する。リソースグリッド内の最小の時間−周波数単位はリソース要素（ＲＥ）と表される。各リソースグリッドは、一定の物理チャネルのリソース要素へのマッピングを記述する、いくつかのリソースブロック（ＲＢ）を含む。各リソースブロックは、周波数領域内のリソース要素の集合を含み、現在割り振ることのできる最小のリソース量を表すことができる。そのようなリソースブロックを使用して搬送されるいくつかの異なる物理ダウンリンクチャネルがある。本開示に対する特定の関連性と共に、これらの物理ダウンリンクチャネルのうちの２つは、物理ダウンリンク共用チャネル及び物理ダウンリンク制御チャネルである。
【００１３】
物理ダウンリンク共用チャネル（ＰＤＳＣＨ）は、ＵＥ１０２（図１）にユーザデータ及び上位層シグナリングを搬送する。物理ダウンリンク制御チャネル（ＰＤＣＣＨ）は、とりわけＰＤＳＣＨチャネルに関するトランスポートフォーマット及びリソース割振りについての情報を搬送する。ＰＤＣＣＨはまた、アップリンク共用チャネルに関するトランスポートフォーマット、リソース割振り、及びハイブリッド自動再送要求（ＨＡＲＱ）情報についてＵＥ１０２に通知する。通常、ダウンリンクスケジューリング（たとえば、制御及び共用チャネルリソースブロックをセル内のＵＥ１０２に割り当てること）を、ＵＥ１０２からｅＮＢ１０４にフィードバックされるチャネル品質情報に基づいてｅＮＢ１０４で実施することができ、次いで、ダウンリンクリソース割当て情報を、ＵＥ１０２のために使用される（ＵＥ１０２に割り当てられる）制御チャネル（ＰＤＣＣＨ）上でＵＥ１０２に送ることができる。
【００１４】
ＰＤＣＣＨは、ＣＣＥ（制御チャネル要素）を使用して制御情報を搬送する。リソース要素にマッピングされる前に、ＰＤＣＣＨ複素数値シンボルがまず４つの組（ｑｕａｄｒｕｐｌｅｔ）に編成され、次いで、レートマッチングのためにサブブロックインターリーバを使用して４つの組が置換される。制御チャネル要素（ＣＣＥ）のうちの１つ以上を使用して各ＰＤＣＣＨが送信され、各ＣＣＥは、リソース要素グループ（ＲＥＧ）と呼ばれる４つの物理リソース要素の９つのセットに対応する。４つのＱＰＳＫシンボルが各ＲＥＧにマッピングされる。ＤＣＩのサイズ及びチャネル条件に応じて、１つ以上のＣＣＥを使用してＰＤＣＣＨを送信することができる。異なる数のＣＣＥと共にＬＴＥで定義された４つ以上の異なるＰＤＣＣＨフォーマットが存在することができる（たとえば、アグリゲーションレベルＬ＝１、２、４、又は８）。
【００１５】
図２は、いくつかの実施形態によるユーザ機器（ＵＥ）の機能図である。図３は、いくつかの実施形態による進化型ノードＢ（ｅＮＢ）の機能図である。いくつかの実施形態では、ｅＮＢ３００は静止非モバイルデバイスでよいことに留意されたい。ＵＥ２００は、図１に示されるようなＵＥ１０２としての使用に適することがあり、一方、ｅＮＢ３００は、図１に示されるようなｅＮＢ１０４として使用に適することがある。ＵＥ２００は、物理層回路２０２及びトランシーバ２０５を含むことができ、その一方又は両方は、１つ以上のアンテナ２０１を用いるｅＮＢ３００、他のｅＮＢ、他のＵＥ、又は他のデバイスとの間での信号の送信及び受信を可能にすることができる。一例として、物理層回路２０２は、受信した信号の送信及び復号のためのベースバンド信号の形成を含むことのできる、様々な符号化及び復号機能を実施することができる。別の例として、トランシーバ２０５は、ベースバンド範囲と無線周波数（ＲＦ）範囲との間の信号の変換などの様々な送信及び受信機能を実施することができる。したがって、物理層回路２０２とトランシーバ２０５とは別々の構成要素でよく、又は組み合わされた構成要素の部分でよい。さらに、信号の送信及び受信に関する記載の機能の一部を、物理層回路２０２、トランシーバ２０５、及び他の構成要素若しくは層のうちの１つ、いずれか、又はすべてを含むことのできる組合せによって実施することができる。
【００１６】
ｅＮＢ３００は、物理層回路３０２及びトランシーバ３０５を含むことができ、その一方又は両方は、１つ以上のアンテナ３０１を用いるＵＥ２００、他のｅＮＢ、他のＵＥ、又は他のデバイスとの間での信号の送信及び受信を可能にすることができる。物理層回路３０２及びトランシーバ３０５は、ＵＥ２００に関して先に説明したのと同様の様々な機能を実施することができる。したがって、物理層回路３０２とトランシーバ３０５とは、別々の構成要素でよく、又は組み合わされた構成要素の部分でよい。さらに、信号の送信及び受信に関する記載の機能の一部を、物理層回路３０２、トランシーバ３０５、及び他の構成要素若しくは層のうちの１つ、いずれか、又はすべてを含むことのできる組合せによって実施することができる。
【００１７】
ＵＥ２００は、ワイヤレス媒体へのアクセスを制御するためのメディアアクセス制御層（ＭＡＣ）回路２０４をも含むことができ、一方、ｅＮＢ３００は、ワイヤレス媒体へのアクセスを制御するためのメディアアクセス制御層（ＭＡＣ）回路３０４をも含むことができる。ＵＥ２００はまた、本明細書で説明する動作を実施するように構成された処理回路２０６及びメモリ２０８をも含むことができる。ｅＮＢ３００はまた、本明細書で説明する動作を実施するように構成された処理回路３０６及びメモリ３０８をも含むことができる。ｅＮＢ３００はまた、１つ以上のインタフェース３１０をも含むことができ、インタフェース３１０は、他のｅＮＢ１０４（図１）、ＥＰＣ１２０（図１）内の構成要素、又は他のネットワーク構成要素を含む他の構成要素との通信を可能にすることができる。さらに、インタフェース３１０は、ネットワークの外部の構成要素を含む、図１には示されていないことがある他の構成要素との通信を可能にすることができる。インタフェース３１０は、有線又は無線或いはそれらの組合せでよい。
【００１８】
アンテナ２０１、３０１は、たとえばダイポールアンテナ、モノポールアンテナ、パッチアンテナ、ループアンテナ、マイクロストリップアンテナ、又はＲＦ信号の送信に適する他のタイプのアンテナを含む、１つ以上の指向性又は全方向性アンテナを含むことができる。いくつかの多入力多出力（ＭＩＭＯ）実施形態では、空間ダイバーシティと、結果として得ることのできる異なるチャネル特性とを活用するようにアンテナ２０１、３０１を実質的に分離することができる。
【００１９】
いくつかの実施形態では、ＵＥ２００又はｅＮＢ３００はモバイルデバイスでよく、携帯情報端末（ＰＤＡ）、ワイヤレス通信機能を有するラップトップ又はポータブルコンピュータ、ウェブタブレット、ワイヤレス電話、スマートフォン、ワイヤレスヘッドセット、ページャ、インスタントメッセージングデバイス、デジタルカメラ、アクセスポイント、テレビジョン、医用デバイス（たとえば、心拍計、血圧計など）などのウェアラブルデバイス、又はワイヤレスに情報を受信及び／又は送信することのできる他のデバイスなどのポータブルワイヤレス通信デバイスでよい。いくつかの実施形態では、３ＧＰＰ規格に従って動作するようにＵＥ２００又はｅＮＢ３００を構成することができるが、実施形態の範囲はこの点で限定されない。ＩＥＥＥ８０２．１１又は他のＩＥＥＥ規格を含む他のプロトコル又は規格に従って動作するように、いくつかの実施形態でのモバイルデバイス又は他のデバイスを構成することができる。いくつかの実施形態では、ＵＥ２００、ｅＮＢ３００、又は他のデバイスは、キーボード、ディスプレイ、不揮発性メモリポート、複数のアンテナ、グラフィックスプロセッサ、アプリケーションプロセッサ、スピーカ、及び他のモバイルデバイス要素のうちの１つ以上を含むことができる。ディスプレイは、タッチスクリーンを含むＬＣＤ画面でよい。
【００２０】
ＵＥ２００及びｅＮＢ３００がそれぞれいくつかの別々の機能要素を有するものとして示されているが、機能要素のうちの１つ以上を組み合わせることができ、デジタル信号プロセッサ（ＤＳＰ）を含む処理要素などのソフトウェアで構成される要素、及び／又は他のハードウェア要素の組合せによって実装することができる。たとえば、いくつかの要素は、１つ以上のマイクロプロセッサ、ＤＳＰ、フィールドプログラマブルゲートアレイ（ＦＰＧＡ）、特定用途向け集積回路（ＡＳＩＣ）、無線周波数集積回路（ＲＦＩＣ）、並びに本明細書で説明される機能を少なくとも実施するための様々なハードウェア及び論理回路の組合せを含むことができる。いくつかの実施形態では、機能要素は、１つ以上の処理要素上で動作する１つ以上のプロセスを指すことがある。
【００２１】
ハードウェア、ファームウェア、及びソフトウェアのうちの１つ又はそれらの組合せで実施形態を実装することができる。コンピュータ可読記憶デバイス上に記憶された命令として実施形態を実装することもでき、少なくとも１つのプロセッサによって命令を読み取り、実行して、本明細書で説明する動作を実施することができる。コンピュータ可読記憶デバイスは、マシン（たとえば、コンピュータ）によって読取り可能な形式で情報を記憶するための任意の非一時的機構を含むことができる。たとえば、コンピュータ可読記憶デバイスは、読取り専用メモリ（ＲＯＭ）、ランダムアクセスメモリ（ＲＡＭ）、磁気ディスク記憶媒体、光記憶媒体、フラッシュメモリデバイス、並びに他の記憶デバイス及び媒体を含むことができる。いくつかの実施形態は１つ以上のプロセッサを含むことができ、コンピュータ可読記憶デバイス上に記憶された命令と共に構成することができる。
【００２２】
実施形態によれば、ＵＥ１０２は、ｅＮＢ１０４との間のランダムアクセス手順の部分として、物理ランダムアクセスチャネル（ＰＲＡＣＨ）時間及び周波数リソースの第１の部分で、ＰＲＡＣＨプリアンブルを送信することができる。ＵＥ１０２は、ＰＲＡＣＨプリアンブルに対するランダムアクセス応答（ＲＡＲ）を含む物理ダウンリンク共用チャネル（ＰＤＳＣＨ）ブロックを受信することができる。ＰＤＳＣＨブロックは、ＰＲＡＣＨリソースの第１の部分に関連するランダムアクセス無線ネットワーク一時識別子（ＲＡ−ＲＮＴＩ）に基づくことができる。したがって、ＵＥ１０２は、ＲＡ−ＲＮＴＩを使用して、ＰＤＳＣＨブロックのための物理ダウンリンク制御チャネル（ＰＤＣＣＨ）ブロックを使用することなく、ＰＤＳＣＨブロックがＵＥ１０２のためのものであると判定することができる。これらの実施形態を以下でより詳細に説明する。
【００２３】
図４に、いくつかの実施形態による、ＵＥ１０２とｅＮＢ１０４との間のコンテンションベース及び非コンテンションベースのランダムアクセス手順の例を示す。ランダムアクセス手順を使用して、ＵＥ１０２とネットワーク（１００など）との間の接続性を確立し、又はＵＥ１０２をネットワークと再接続することができる。例示のためにランダムアクセス手順の例が図４に示されているが、実施形態はこれらの例に限定されないことを理解されたい。手順４００はコンテンションベースのランダムアクセス手順でよく、一方、手順４５０は非コンテンションベースのランダムアクセス手順でよい。手順４００、４５０の部分として交換されるメッセージは、３ＧＰＰ又は他の規格に含まれることがあるが、そのように限定されるわけではない。
【００２４】
コンテンションベースの手順４００は、手順４００を開始する試行をｅＮＢ１０４に示すための、ＵＥ１０２による物理ランダムアクセスチャネル（ＰＲＡＣＨ）プリアンブル４１０の送信を含むことができる。ｅＮＢ１０４は、ランダムアクセス応答（ＲＡＲ）４２０で応答し、ＰＲＡＣＨプリアンブル４１０の受信を示し、スケジューリングされた送信４３０に関する情報をＵＥ１０２に提供することができる。複数のＵＥ１０２の送信が衝突するときなどのいくつかのケースでは、コンテンション解決メッセージ４４０を送信することができる。いくつかのケースでは、メッセージ４１０〜４４０は、図４に示される符号１〜４に従ってＭｓｇ−１、Ｍｓｇ−２、Ｍｓｇ−３、及びＭｓｇ−４と呼ばれることがあることに留意されたい。
【００２５】
非コンテンションベースの手順４５０は、ｅＮＢ１０４によるＰＲＡＣＨプリアンブル割当て４６０の送信を含むことができる。ＵＥ１０２は、受信したＰＲＡＣＨプリアンブル割当て４６０に従ってＰＲＡＣＨプリアンブル４７０を送信することができる。ＰＲＡＣＨプリアンブル４７０の受信に応答して、ｅＮＢ１０４によってＲＡＲ４８０を送信することができる。メッセージ４６０〜４８０は、図４に示される符号０〜２に従ってＭｓｇ−０、Ｍｓｇ−１、及びＭｓｇ−２とも呼ばれることがある。
【００２６】
いくつかのケースでは、マシンタイプ通信（ＭＴＣ）をサポートするようにＵＥ１０２又は他のデバイスを構成することができる。いくつかのＵＥ１０２は、構成可能な形でＭＴＣ動作と通常動作（すなわち、非ＭＴＣ）のどちらもサポートすることができるが、いくつかのＵＥ１０２をＭＴＣ  ＵＥ１０２として設計することができる。いずれにしても、ＭＴＣ動作は、小ブロックのデータの不定期なレートでの交換を参照することができ、又は反映することができる。ＭＴＣ  ＵＥ１０２を限られた物理リソースと共に設計することができ、物理リソースは、デバイスのコスト、サイズ、又は出力電力、或いは他の設計上の考慮すべき点に基づくことができる。したがって、ランダムアクセス手順のために使用されるメッセージを含むことができる、ＭＴＣ  ＵＥ１０２によって復号する必要があるメッセージ数及びブロック数を限定することが有益であり、又は必要であることがある。
【００２７】
非限定的な例として、いくつかの実施形態では、不定期なレートは、送信が少なくとも１分だけ離間するように毎分１回未満でよい。しかし、不定期なレートは毎分１回未満に限定されず、１秒、５秒、１０秒、１分、５分、２時間、１日毎に１回未満、又は任意の適切に定義された頻度でよい。さらに、そのように限定されるわけでないが、ＭＴＣ動作は、通常モードで動作するＵＥ１０２についての典型的なサイズ又はサポートされるサイズと比較して「小さい」ものとして特徴付けることのできるトラフィックパケットまたトラフィックブロックのデータの交換を含むことができる。一例として、ＭＴＣ動作のために使用される小ブロックのデータは、１０００ビット以下のデータを含むことができる。しかし、小ブロックのデータは５０ビット未満、１００ビット未満、２００ビット未満、５００ビット未満、或いは任意の適切に定義されたビット数、バイト数、又は他のディジット数を含むことができるので、この例は限定的ではない。
【００２８】
前述のように、ランダムアクセス手順を使用して、ＵＥ１０２とネットワークとの間の接続性を確立又は再確立することができる。一例として、ＵＥ１０２は、ネットワーク接続性が特に課題となるエリア内でよい。このケースでは、ＵＥ１０２を、「カバレッジエンハンスメント」を必要としている、又は「カバレッジエンハンスメントモード」で動作していると記述することができる。ＵＥ１０２がカバレッジエンハンスメントモードにあるとき、ＵＥ１０２で受信された信号レベル又は信号品質の不足又はマージンを補うために、送信されたメッセージの反復ダイバーシティなどの技法を利用することができる。これら及び他のケースでは、ＵＥ１０２によって復号する必要のあるメッセージ数及びブロック数を限定することが有益であることがある。
【００２９】
図５に、いくつかの実施形態によるランダムアクセスの方法の動作を示す。方法５００の実施形態は、図５に示されるものと比較して、追加の、又はさらには少ない動作又はプロセスを含むことができることが重要であると留意されたい。さらに、方法５００の実施形態は、必ずしも図５に示される時系列準に限定されるわけではない。方法５００を説明する際に、図１〜４及び６〜７を参照することがあるが、任意の他の適切なシステム、インタフェース、及び構成要素と共に方法５００を実施できることを理解されたい。たとえば、例示のために先に説明した図４のランダムアクセス手順４００、４５０を参照することがあるが、方法５００の技法及び動作はそのように限定されるわけではない。
【００３０】
さらに、方法５００及び本明細書で説明する他の方法は、３ＧＰＰ又は他の規格に従って動作するｅＮＢ１０４又はＵＥ１０２を参照することがあるが、そうした方法の実施形態は、そうしたｅＮＢ１０４又はＵＥ１０２だけに限定されるわけではなく、Ｗｉ−Ｆｉアクセスポイント（ＡＰ）又はユーザステーション（ＳＴＡ）などの他のモバイルデバイス上で実施することもできる。さらに、方法５００及び本明細書で説明する他の方法を、ＩＥＥＥ８０２．１１などの様々なＩＥＥＥ規格に従って動作するように構成されたシステムを含む他の適切なタイプのワイヤレス通信システムで動作するように構成されたワイヤレスデバイスによって実施することができる。さらに、方法５００及び本明細書で説明する他の方法を、マシンタイプ通信（ＭＴＣ）動作をサポートする、又はサポートするように構成されるＵＥ１０２又は他のデバイスによって実施することができる。
【００３１】
方法５００の動作５０５で、物理ランダムアクセスチャネル（ＰＲＡＣＨ）プリアンブルをＵＥ１０２によって送信することができる。前述のように、進化型ノードＢ（ｅＮＢ）との間のランダムアクセス手順の部分として送信を実施することができる。ＰＲＡＣＨプリアンブル送信のために割り振られ、又は予約されるＰＲＡＣＨ時間及び周波数リソースで送信を実施することができる。いくつかの実施形態では、リソースは、複数の部分を含むことができ、又は複数の部分に分割することができ、複数の部分は、互いに排他的であり、又は互いに少なくとも部分的に直交することができる。したがって、異なるＰＲＡＣＨプリアンブル送信のために各部分を予約することができる。ＰＲＡＣＨプリアンブルは、３ＧＰＰ又は他の規格内に含まれることがあるが、実施形態の範囲はこの点で限定されない。
【００３２】
いくつかの実施形態では、ＰＲＡＣＨリソース内に含まれる時間リソースは、１つ以上の時間スロット、サブフレーム、シンボル、ＯＦＤＭシンボル、又はその類似物、或いはそのようなものの部分を含むことができる。さらに、ＰＲＡＣＨリソース内に含まれる周波数リソースは、１つ以上の副搬送波、リソース要素（ＲＥ）、リソースブロック（ＲＢ）、チャネル、周波数帯、又はその他、或いはそのようなものの部分を含むことができる。したがって、ＰＲＡＣＨリソースの部分は、ＰＲＡＣＨ時間リソースのサブセット、及びＰＲＡＣＨ周波数リソースのサブセットを含むことができる。一例として、部分は、１つ以上のＲＢ及び１つ以上のＯＦＤＭシンボルにわたって分散するＲＥのセットを含むことができる。さらに、「第１」又は「第２」又はその類似などの符号が、明快のために使用されることがあるが、時間索引又は周波数索引の点で限定的なものではない。たとえば、「第１の部分」は、「第１のＵＥ」によって使用されるＰＲＡＣＨリソースの一部でよく、「第１のＲＡ−ＲＮＴＩ」に関連付けることができる。第１の部分は必ずしも、最も早いＰＲＡＣＨ時間リソース、又は最も低い周波数であるＰＲＡＣＨリソースを含むわけではないことがある。
【００３３】
動作５１０で、ダウンリンクサブフレームの間にｅＮＢ１０４から物理ダウンリンク共用チャネル（ＰＤＳＣＨ）ブロックを受信することができる。いくつかの実施形態では、ＰＤＳＣＨブロックはランダムアクセス応答（ＲＡＲ）を含むことができ、ＲＡＲは、前述のようにｅＮＢ１０４によるＰＲＡＣＨプリアンブルの受信を示すことができる。ＲＡＲは、３ＧＰＰ又は他の規格内に含まれることのある「Ｍｓｇ２」又は他のメッセージタイプでよく、又はそれを含むことができるが、実施形態の範囲はこの点で限定されない。
【００３４】
動作５１５で、ＵＥ１０２は、ダウンリンクサブフレームについて物理ダウンリンク制御チャネル（ＰＤＣＣＨ）ブロックの復号を控えることができる。すなわち、対応するＰＤＣＣＨブロックの受信を伴わずに、ＵＥ１０２によってＰＤＳＣＨブロックを受信することができる。そのような技法は、いくつかのケースでは、「ＰＤＣＣＨレス」動作を使用可能にすることができ、又はその部分でよい。ＰＤＣＣＨレス動作の概念が、この議論ではランダムアクセス手順に適用されるが、ＰＤＣＣＨレス動作の概念は、そのように限定されるわけでなく、他のシナリオでも利用することができる。たとえば、ＵＥ１０２とｅＮＢ１０４との間のデータパケット又はトラフィックパケットの交換のためのＰＤＳＣＨブロックの使用に概念を適用することができる。
【００３５】
いくつかの実施形態では、ｅＮＢ１０４は、送信されるＰＤＳＣＨブロックに対応するＰＤＣＣＨブロックの送信を控えることができ、決定は、ＵＥ１０２がＰＤＣＣＨレス動作又はＭＴＣ動作のために構成されるという知識に基づくことができる。ＵＥ１０２は、対応するＰＤＣＣＨを探索し、又は受信しようと試みることなく、ＰＤＳＣＨを受信することができる。非限定的な例として、ＰＤＳＣＨブロックが、ダウンリンクサブフレームについて、１つ以上のダウンリンク信号内に含まれることがある。ＰＤＳＣＨについてのＰＤＣＣＨが含まれないようにダウンリンク信号を構成することができる。１つ以上のＰＤＣＣＨブロックがダウンリンク信号内に含まれるとき、ＰＤＣＣＨブロックがＵＥ１０２によって受信されるＰＤＳＣＨブロックとは異なるＰＤＳＣＨブロックの受信に関連付けられるように、ダウンリンク信号をさらに構成することができる。ダウンリンク信号内に含まれる任意のＰＤＣＣＨブロック（それが存在する場合）が、ＵＥ１０２のためのものではない異なるＰＤＳＣＨブロックに関連付けられるように、ダウンリンク信号をさらに構成することができる。
【００３６】
非限定的な例として、ダウンリンク信号は、時間の点でＯＦＤＭシンボルのグループにまたがる１つ以上のＯＦＤＭ信号を含むことができる。いくつかのケースでは、ＯＦＤＭシンボルのグループの第１の部分が、ＵＥ１０２のためのものではないＰＤＳＣＨブロックに関連する１つ以上のＰＤＣＣＨブロックを含むことができる。しかし、ＵＥ１０２のためのＰＤＳＣＨブロックに関連するＰＤＣＣＨブロックをダウンリンク信号から除外することができる。ＵＥ１０２のためのＰＤＳＣＨブロックを、第１の部分とは重複しないＯＦＤＭシンボルのグループの第２の、後の部分内に含めることができる。そのような構成は３ＧＰＰ又は他の規格内に含まれることがあるが、そのようなものとして限定されるわけではない。
【００３７】
いくつかの実施形態では、ＰＤＣＣＨレス動作は、ＰＤＣＣＨブロックがｅＮＢ１０４によって送信されるときであっても、ＵＥ１０２によるＰＤＣＣＨブロックの復号を控えることを含むことができる。すなわち、ＵＥ１０２は、対応するＰＤＣＣＨブロックを受信することを試みることなく、ＰＤＳＣＨブロックを受信することができるが、実際にはＰＤＣＣＨブロックをダウンリンク信号内に含めることができる。非限定的な例として、ダウンリンク信号は、時間の点でＯＦＤＭシンボルのグループにまたがる１つ以上のＯＦＤＭ信号を含むことができる。ＯＦＤＭシンボルのグループの第１の部分が、ＵＥ１０２のためのＰＤＳＣＨブロックについての受信情報を含むＰＤＣＣＨブロックを含むことができる。ＰＤＳＣＨブロックを、第１の部分とは重複しないＯＦＤＭシンボルのグループの第２の、後の部分内に含めることができる。したがって、ＵＥ１０２は、ＯＦＤＭシンボルの第２の部分についての復号機能を実施し、ＰＤＣＣＨブロックを受信することを試みることなくＰＤＳＣＨブロックを受信することができる。
【００３８】
動作５２０で、ＵＥ１０２は、第１のランダムアクセス無線ネットワーク一時識別子（ＲＡ−ＲＮＴＩ）の使用により、ＰＤＳＣＨブロックがＵＥ１０２のためのものであるか否かを判定することができる。いくつかのケースでは、ＰＤＳＣＨブロック内に含まれるＲＡＲがＵＥ１０２のためのものであるか否かも判定することができる。方法５００の動作５２５で、ＲＡＲがＵＥ１０２のためのものであると判定されたとき、ＲＡＲを復号することができる。復号動作は、ＰＤＳＣＨブロック又はその他などの他のブロックの復号を含むことができ、又はその部分でよい。
【００３９】
ＲＡ−ＲＮＴＩは、ＰＲＡＣＨプリアンブルの送信のためにＵＥ１０２によって使用されるＰＲＡＣＨリソースの部分の機能であることがあるので、ＲＡ−ＲＮＴＩは、ＵＥ１０２で既知であることがある。非限定的な例として、ＲＡ−ＲＮＴＩを（１＋ｔ＿ｉｄ＋１０＊ｆ＿ｉｄ）と決定することができ、ただしｔ＿ｉｄは、送信されるＰＲＡＣＨプリアンブルの第１のサブフレームの時間索引であり、ｆ＿ｉｄは、送信されるＰＲＡＣＨプリアンブルについての周波数索引である。ＲＡ−ＲＮＴＩを決定する他の方法も使用することができ、そのうちのいくつかは、ｔ＿ｉｄ、ｆ＿ｉｄ、又はその他などのパラメータに基づくことができることに留意されたい。いくつかの実施形態では、（前述のように）ＰＲＡＣＨ時間及び周波数リソースの各部分についてのＲＡ−ＲＮＴＩは異なるものでよい。一例として、ＰＲＡＣＨプリアンブル送信のためにＵＥ１０２によって使用されるＰＲＡＣＨリソースの第１の部分を第１のＲＡ−ＲＮＴＩに関連付けることができ、以下で説明するように、そのことを、送信されるＰＤＳＣＨブロック内で反映させることができる。
【００４０】
したがって、ＰＤＳＣＨブロックは、ＰＤＳＣＨブロックがＵＥ１０２のためのものであることを示すために、第１のＲＡ−ＲＮＴＩに少なくとも部分的に基づくことができ、その例を以下で与える。ｅＮＢ１０４は、何らかの方式でＰＤＳＣＨブロックにＲＡ−ＲＮＴＩを適用することができ、ＰＤＳＣＨブロック内にＲＡ−ＲＮＴＩを含むことができ、又はＰＤＳＣＨブロックをＲＡ−ＲＮＴＩで「タグ付け」して、ＰＤＳＣＨブロックがＵＥ１０２のためのものであることを示すことができる。この表示は、ＰＤＳＣＨブロックのためにＰＤＣＣＨブロックを使用することなく、ＰＤＳＣＨブロックがＵＥ１０２のためのものであるとＵＥ１０２が判定することを可能にすることができる。すなわち、ＲＡ−ＲＮＴＩに基づくＰＤＣＣＨブロックは、判定プロセスの部分としてＵＥ１０２によって必要とされないことがある。
【００４１】
図６に、いくつかの実施形態による物理ダウンリンク共用チャネル（ＰＤＳＣＨ）ブロック及びメディアアクセス制御（ＭＡＣ）プロトコロルデータ単位（ＰＤＵ）の例を示す。図６に示す例を使用して、動作５２０又は他の動作に関連する概念を示すことができるが、実施形態の範囲はこれらの例によって限定されない。さらに、図６に示すメッセージ及びパラメータのフォーマット及び構成も限定的なものではない。
【００４２】
図６を参照すると、ＰＤＳＣＨブロック６００はペイロード６１０を含むことができ、ペイロード６１０はＲＡＲを含むことができる。ＰＤＳＣＨブロック６００はまた、ＣＲＣビット６２０をも含むことができ、ＣＲＣビット６２０は、ペイロード６１０又はペイロード６１０の一部に対するＣＲＣ動作の適用の結果として得ることができる。ＰＤＳＣＨブロック６００はまた、ランダムアクセスメッセージ又は本明細書で説明する技法及び動作に関係し、又は関係しないことがある、任意の数（ゼロを含む）の他のパラメータ、情報、又はデータブロック６３０をも含むことができる。
【００４３】
ＲＡＲは、ＭＡＣ  ＰＤＵ６５０又は類似のＰＤＵ若しくはデータブロックを含むことができ、したがって、いくつかのケースでは、ＰＤＳＣＨ６００のペイロード６１０内に含めることができる。ＭＡＣ  ＰＤＵ６５０は、図６に示されるパラメータのいずれか又はすべてを含むことができる。ＭＡＣ  ＰＤＵ６５０はまた、図示するパラメータのうちのいくつかに加えて、又はその代わりに、他の類似のパラメータを含むことができる。図６には明示的には図示していないが、ＭＡＣ  ＰＤＵ６５０は、ヘッダ部分及びペイロード部分を含むことができ、いくつかのケースでは、図示するパラメータを一方の部分内、又は他方の部分内に含めることができる。したがって、いくつかの実施形態では、ＲＡ−ＲＮＴＩ６９０をＭＡＣ  ＰＤＵ６５０のペイロード内に含めることができるが、いくつかの他の実施形態では、ＭＡＣ  ＰＤＵ６５０のヘッダ部分内に含めることができる。
【００４４】
タイミングアドバンスコマンド６６０は、ＵＥ１０２とｅＮＢ１０４との間の伝播遅延に関する情報又はコマンドを含むことができる。アップリンク許可６７０は、前述の「Ｍｓｇ−３」又は他のメッセージなどのＵＥ１０２によるメッセージ送信に関する情報を含むことができる。セル無線ネットワーク一時識別子（Ｃ−ＲＮＴＩ）６８０は、ｅＮＢ１０４によってサービスされるセルに関連するＲＮＴＩを含むことができる。さらに、ランダムアクセスメッセージ又は本明細書で説明する技法及び動作に関係し、又は関係しないことがある、任意の数（ゼロを含む）の他のパラメータ、情報、又はデータブロック６９５もＭＡＣ  ＰＤＵ６５０内に含めることができる。
【００４５】
一例として、ＰＤＳＣＨがＵＥ１０２のためのものであるか否かの判定を、ＲＡ−ＲＮＴＩによるＣＲＣビット６２０のスクランブリングに関係付けることができる。ＰＤＳＣＨブロック６００がＵＥ１０２に送信される前に、ＣＲＣビット６２０又はその少なくとも一部をＲＡ−ＲＮＴＩと共にスクランブルすることができる。したがって、ＵＥ１０２は、ＲＡ−ＲＮＴＩを使用して、復号されたＣＲＣビット６２０、又はそのスクランブルされた部分を逆スクランブルすることができる。いくつかのケースでは、ＣＲＣチェックの成功は、ＰＤＳＣＨブロック６００がＵＥ１０２のためのものであることを示すことができる。
【００４６】
スクランブリング動作は、「論理ＸＯＲ」演算の使用を含むことができ、論理ＸＯＲ演算は、２つの２進数ａ及びｂについて、ＸＯＲ（ａ，ｂ）＝（ａ＋ｂ）ｍｏｄ−２として求めることができる。一例として、ＲＡ−ＲＮＴＩビット数がＣＲＣビット６２０の数未満であるとき、ＲＡ−ＲＮＴＩと同一のサイズのＣＲＣビット６２０の一部だけにスクランブリングを実施することができる。たとえば、［ｒ（０），ｒ（１），．．．ｒ（１５）］によって与えられる１６ビットＲＡ−ＲＮＴＩを、［ｃ（０），ｃ（１），．．．ｃ（２３）］によって与えられる２４ビットＣＲＣと共にスクランブルし、スクランブル済み結果［ＸＯＲ（ｃ（０），ｒ（０）），ＸＯＲ（ｃ（１），ｒ（１））．．．ＸＯＲ（ｃ（１５），ｒ（１５）），ｃ（１６），．．．ｃ（２３）］を得ることができる。別の例として、ＲＡ−ＲＮＴＩビット数がＣＲＣビット６２０の数未満であるとき、スクランブリングを循環式に実施することができる。たとえば、１６ビットＲＡ−ＲＮＴＩ［ｒ（０），ｒ（１），．．．ｒ（１５）］を２４ビットＣＲＣ［ｃ（０），ｃ（１），．．．ｃ（２３）］と共にスクランブルし、スクランブル済み結果［ＸＯＲ（ｃ（０），ｒ（０）），ＸＯＲ（ｃ（１），ｒ（１））．．．ＸＯＲ（ｃ（１５），ｒ（１５）），ＸＯＲ（ｃ（１６），ｒ（０）），ＸＯＲ（ｃ（１７），ｒ（１））．．．ＸＯＲ（ｃ（２３），ｒ（７））］を得ることができる。しかし、ＲＡ−ＲＮＴＩビットをＣＲＣビット６２０とスクランブルするための任意の適切な技法を使用することができるので、これらの例は限定的なものではない。
【００４７】
別の例として、ＵＥ１０２は、周知又は所定のＲＡ−ＲＮＴＩと、復号されたＲＡ−ＲＮＴＩ６９０との間の比較を実施して、ＰＤＳＣＨがＵＥ１０２のためのものであるであるかどうかを判定することができる。したがって、ＰＤＳＣＨブロック６００の所期の受信側についての識別子としての役割を果たすように、送信されるＭＡＣ  ＰＤＵ６５０内にＲＡ−ＲＮＴＩ６９０を含めることができる。前述のように、送信されるＭＡＣ  ＰＤＵ６５０のヘッダ部分又はペイロード部分内にＲＡ−ＲＮＴＩ６９０を含めることができる。したがって、既知のＲＡ−ＲＮＴＩと、復号されたヘッダ又は復号されたペイロードとの間の比較を適宜実施することができる。
【００４８】
別の例として、データスクランブリングシーケンスの生成のために、ＰＲＡＣＨリソースの第１の部分に関連する第１のＲＡ−ＲＮＴＩを使用することができる。たとえば、そのような生成プロセスで第１のＲＡ−ＲＮＴＩをシード値又は他の入力として使用することができる。データスクランブリングシーケンスを、送信されるＰＤＳＣＨブロック６００のペイロード６１０、ＭＡＣ  ＰＤＵ６５０のペイロード部分、又は任意の他の適切なブロックなどの、ＲＡＲに関連するデータブロックの少なくとも一部に適用することができる。スクランブリングプロセスは、「論理ＸＯＲ」又は他の適切な演算の使用を含むことができる。したがって、ＵＥ１０２は、復号されたペイロード６１０又は他の受信されたブロックの適切な部分に対して逆スクランブリング動作を実施することができる。
【００４９】
図７に、いくつかの実施形態によるランダムアクセスの別の方法の動作を示す。方法５００（図５）に関して先に述べたように、方法７００の実施形態は、図７に示されるものと比較して、追加の、又はさらには少ない動作又はプロセスを含むことができ、方法７００の実施形態は、必ずしも図７に示される時系列準に限定されるわけではない。方法７００を説明する際に、図１〜６を参照することがあるが、任意の他の適切なシステム、インタフェース、及び構成要素と共に方法７００を実施できることを理解されたい。たとえば、例示のために先に説明した図４のランダムアクセス手順４００、４５０を参照することがあるが、方法７００の技法及び動作はそのように限定されるわけではない。さらに、方法７００の実施形態は、ｅＮＢ１０４、ＵＥ１０２、ＡＰ、ＳＴＡ、又は他のワイヤレス若しくはモバイルデバイスを参照することがある。
【００５０】
方法７００はｅＮＢ１０４で実施することができ、ＵＥ１０２との信号又はメッセージの交換を含むことができることに留意されたい。同様に、方法５００はＵＥ１０２で実施することができ、ｅＮＢ１０４との信号又はメッセージの交換を含むことができる。いくつかのケースでは、方法５００の部分として説明した動作及び技法が、方法７００に関連することがある。たとえば、方法５００の動作は、ＵＥ１０２によるメッセージの受信を含むことができ、一方、方法７００の動作は、ｅＮＢ１０４での同一のメッセージ又は類似のメッセージの送信を含むことができる。さらに、ＰＲＡＣＨプリアンブル、ＰＤＳＣＨブロック、ＭＡＣ  ＰＤＵ、ＲＡ−ＲＮＴＩ、及び他の概念などの概念に関する前の議論も適用可能であることがある。
【００５１】
方法７００の動作７０５で、第１のＵＥ１０２との間のランダムアクセス手順の部分として、ＰＲＡＣＨプリアンブルをＰＲＡＣＨ時間及び周波数リソースの第１の部分で受信することができる。動作７１０で、ＰＲＡＣＨプリアンブルについてのＲＡＲを含むＰＤＳＣＨブロックを、第１のＵＥ１０２での受信のために送信することができる。方法５００についての同様又は類似の動作に関する前述の概念が適用可能であるが、実施形態の範囲はこの点で限定されない。
【００５２】
ＰＤＳＣＨブロックは、ＰＲＡＣＨリソースの第１の部分に関連する第１のＲＡ−ＲＮＴＩに少なくとも部分的に基づくことができる。したがって、ｅＮＢ１０４は、第１のＲＡ−ＲＮＴＩをＰＤＳＣＨブロックに適用することができ、又は第１のＲＡ−ＲＮＴＩでＰＤＳＣＨブロックをタグ付けすることができ、それにより、ＰＤＳＣＨブロックが第１のＵＥ１０２のためのものであるという第１のＵＥ１０２による判定を可能とすることができる。一例として、ＰＤＳＣＨブロック内に含まれる周期的冗長検査（ＣＲＣ）ブロックの少なくとも一部を第１のＲＡ−ＲＮＴＩによってスクランブルすることができる。別の例として、ＰＤＳＣＨブロックは、第１のＲＡ−ＲＮＴＩを含むＭＡＣ  ＰＤＵを含むことができる。別の例として、ｅＮＢ１０４によってデータペイロード（ＭＡＣ  ＰＤＵのペイロードなど）の少なくとも一部にデータスクランブリングシーケンスを適用することができ、データスクランブリングシーケンスは、第１のＲＡ−ＲＮＴＩの関数でよい。たとえば、第１のＲＡ−ＲＮＴＩを、生成関数に対するシード値又は他の入力として使用することができる。
【００５３】
動作７１５で、第１のＵＥ１０２がマシンタイプ通信（ＭＴＣ）動作のために構成されるとき、ｅＮＢ１０４は、ＰＤＳＣＨブロックに対するＰＤＣＣＨブロックの送信を控えることができる。したがって、ＭＴＣ  ＵＥ１０２について前述のＰＤＣＣＨレス動作を実現することができる。しかし、いくつかの実施形態では、第１のＵＥ１０２はＭＴＣ動作のために構成されないことがあり、ｅＮＢ１０４は、ＰＤＳＣＨブロックに対するＰＤＣＣＨブロックの送信を依然として控え、第１のＵＥ１０２についてのＰＤＣＣＨレス動作を可能にすることができる。すなわち、ＭＴＣ動作は、必ずしもＰＤＣＣＨレス動作のための要件ではない。
【００５４】
動作７２０で、第２のＰＤＳＣＨブロックを第２のＵＥ１０２に送信することができる。動作７２５で、第２のＵＥ１０２がＭＴＣ動作のために構成されないとき、第２のＰＤＳＣＨブロックについての受信情報を含む第２のＰＤＣＣＨブロックを送信することができる。したがって、ｅＮＢ１０４は、第２のＵＥ１０２との通信のためにＰＤＣＣＨを使用することができ、同時に、第１のＵＥ１０２によるＰＤＣＣＨレス動作をサポートすることができる。いくつかの実施形態では、ｅＮＢ１０４は、上記のモードのそれぞれで動作する複数のＵＥ１０２をサポートすることができる。
【００５５】
ユーザ機器（ＵＥ）の一例を本明細書で開示する。ＵＥは、進化型ノードＢ（ｅＮＢ）との間のランダムアクセス手順の部分として、ＰＲＡＣＨ時間及び周波数リソースの第１の部分で物理ランダムアクセスチャネル（ＰＲＡＣＨ）プリアンブルを送信するように構成されたハードウェア処理回路を備えることができる。ダウンリンクサブフレームの間にｅＮＢから物理ダウンリンク共用チャネル（ＰＤＳＣＨ）ブロックを受信するようにハードウェア処理回路をさらに構成することができ、ＰＤＳＣＨブロックはランダムアクセス応答（ＲＡＲ）を含む。ダウンリンクサブフレームについて物理ダウンリンク制御チャネル（ＰＤＣＣＨ）ブロックの復号を控えるようにハードウェア処理回路をさらに構成することができる。ＰＤＳＣＨブロックは、ＰＤＳＣＨブロックがＵＥのためのものであることを示すために、第１のランダムアクセス無線ネットワーク一時識別子（ＲＡ−ＲＮＴＩ）に少なくとも部分的に基づくことができる。第１のＲＡ−ＲＮＴＩをＰＲＡＣＨ時間及び周波数リソースの第１の部分に関連付けることができる。
【００５６】
いくつかの例では、ＰＤＳＣＨブロックがＵＥのためのものであると判定するようにハードウェア処理回路をさらに構成することができる。判定は、ＵＥによる第１のＲＡ−ＲＮＴＩの使用を含むことができ、第１のＲＡ−ＲＮＴＩに基づくＰＤＣＣＨブロックの復号を除外することができる。いくつかの例では、ＵＥによって受信されるＰＤＳＣＨブロックを、ダウンリンクサブフレームについて１つ以上のダウンリンク信号内に含めることができる。１つ以上のＰＤＣＣＨブロックがダウンリンク信号内に含まれるとき、ＵＥによって受信されるＰＤＳＣＨブロックとは異なるＰＤＳＣＨブロックの受信にＰＤＣＣＨブロックを関連付けることができる。いくつかの例では、ＲＡＲは、ｅＮＢによるＰＲＡＣＨプリアンブルの受信を示すことができる。いくつかの例では、ＰＲＡＣＨ時間及び周波数リソースは複数の部分を含むことができる。異なるＰＲＡＣＨプリアンブル送信のために各部分を予約することができ、各部分についてのＲＡ−ＲＮＴＩは異なるものでよい。
【００５７】
いくつかの例では、ＰＤＳＣＨブロック内に含まれる周期的冗長検査（ＣＲＣ）ブロックの少なくとも一部を第１のＲＡ−ＲＮＴＩによってスクランブルすることができる。いくつかの例では、第１のＲＡ−ＲＮＴＩを使用して、ＣＲＣブロックの少なくとも一部を逆スクランブルし、ＰＤＳＣＨデータブロックがＵＥのためのものであると判定するように、ハードウェア処理回路をさらに構成することができる。いくつかの例では、ＰＤＳＣＨブロックは、メディアアクセス制御（ＭＡＣ）プロトコロルデータ単位（ＰＤＵ）を含むことができ、ＭＡＣ  ＰＤＵは、ＲＡＲと、第１のＲＡ−ＲＮＴＩを含むヘッダとを含むことができる。いくつかの例では、ヘッダと第１のＲＡ−ＲＮＴＩとの比較に基づいて、ＰＤＳＣＨデータブロックがＵＥのためのものであると判定するように、ハードウェア処理回路をさらに構成することができる。
【００５８】
いくつかの例では、第１のＲＡ−ＲＮＴＩに少なくとも部分的に基づくデータスクランブリングシーケンスによってＲＡＲの少なくとも一部をスクランブルすることができる。いくつかの例では、データスクランブリングシーケンスの生成のためのプロセスについてのシード値として第１のＲＡ−ＲＮＴＩを使用することができる。いくつかの例では、小ブロックのトラフィックデータの不定期なレートでの交換を反映するマシンタイプ通信（ＭＴＣ）動作のためにＵＥを構成することができる。小ブロックのトラフィックデータは１０００未満のビットを含むことができ、不定期なレートは毎分１回未満でよい。
【００５９】
いくつかの例では、第３世代パートナーシッププロジェクト（３ＧＰＰ）プロトコルに従って動作するようにＵＥをさらに構成することができる。ＰＲＡＣＨプリアンブルは、３ＧＰＰ  ＬＴＥプロトコルに含まれるＭｓｇ−１メッセージでよく、ＲＡＲは、３ＧＰＰ  ＬＴＥプロトコルに含まれるＭｓｇ−２メッセージでよい。いくつかの例では、ＵＥは、ＰＲＡＣＨプリアンブルを送信するように構成され、ＰＤＳＣＨブロックを受信するようにさらに構成された１つ以上のアンテナをさらに備えることができる。
【００６０】
ユーザ機器（ＵＥ）によって実施されたランダムアクセスの方法の一例も本明細書で開示する。方法は、物理ランダムアクセスチャネル（ＰＲＡＣＨ）プリアンブルを送信すること、ＰＲＡＣＨプリアンブルに対するランダムアクセス応答（ＲＡＲ）を含む物理ダウンリンク共用チャネル（ＰＤＳＣＨ）ブロックを受信すること、及びＰＤＳＣＨブロックに第１のランダムアクセス無線ネットワーク一時識別子（ＲＡ−ＲＮＴＩ）を適用し、ＰＤＳＣＨブロックがＵＥのためのものであると判定することを含むことができる。第１のＲＡ−ＲＮＴＩは、ＰＲＡＣＨプリアンブルが送信される専用ＰＲＡＣＨリソースの第１の部分を反映することができる。
【００６１】
いくつかの例では、ダウンリンクサブフレームについて１つ以上のダウンリンク信号の部分としてＰＤＳＣＨブロックを受信することができる。ＰＤＳＣＨブロックは、第１のＲＡ−ＲＮＴＩに少なくとも部分的に基づくことができ、ＰＤＳＣＨブロックに対する物理ダウンリンク制御チャネル（ＰＤＣＣＨ）ブロックの使用なしに、ＰＤＳＣＨブロックがＵＥのためのものであるというＵＥによる判定が可能となる。方法は、ダウンリンク信号内に含まれる物理ＰＤＣＣＨブロックの復号を控えることをさらに含むことができる。いくつかの例では、ダウンリンク信号は、ＯＦＤＭシンボルのグループにまたがる１つ以上の直交周波数分割多重（ＯＦＤＭ）信号を含むことができる。ＯＦＤＭシンボルのグループの第１の部分内にＰＤＣＣＨブロックを含めることができ、第１の部分とは重複しないＯＦＤＭシンボルのグループの第２の、後の部分内にＰＤＳＣＨブロックを含めることができる。
【００６２】
いくつかの例では、専用ＰＲＡＣＨリソースは複数の部分を含むことができ、各部分についてのＲＡ−ＲＮＴＩは異なるものでよい。いくつかの例では、方法は、ＲＡＲがＵＥのためのものであるであると判定したとき、ＲＡＲを復号することをさらに含むことができる。いくつかの例では、ＰＤＳＣＨブロックは、メディアアクセス制御（ＭＡＣ）プロトコロルデータ単位（ＰＤＵ）を含むことができ、ＭＡＣ  ＰＤＵは、ＲＡＲと、第１のＲＡ−ＲＮＴＩを含むヘッダとを含むことができる。いくつかの例では、ＰＤＳＣＨブロックは周期的冗長検査（ＣＲＣ）ブロックを含むことができ、ＣＲＣブロックの少なくとも一部を第１のＲＡ−ＲＮＴＩによってスクランブルすることができる。
【００６３】
ランダムアクセスのための動作を実施するための１つ以上のプロセッサによる実行のための命令を記憶する非一時的コンピュータ可読記憶媒体の一例も本明細書で開示する。動作は、進化型ノードＢ（ｅＮＢ）との間のランダムアクセス手順の部分として物理ランダムアクセスチャネル（ＰＲＡＣＨ）プリアンブルを送信するように１つ以上のプロセッサを構成することができる。ＰＲＡＣＨ時間及び周波数リソースの第１の部分で送信を実施することができる。動作は、ダウンリンクサブフレームの間にｅＮＢから物理ダウンリンク共用チャネル（ＰＤＳＣＨ）ブロックを受信するように１つ以上のプロセッサをさらに構成することができる。ＰＤＳＣＨブロックは、ランダムアクセス応答（ＲＡＲ）を含むことができる。動作は、ダウンリンクサブフレームについて物理ダウンリンク制御チャネル（ＰＤＣＣＨ）ブロックの復号を控えるように１つ以上のプロセッサを構成することができる。ＰＤＳＣＨブロックは、ＰＲＡＣＨ時間及び周波数リソースの第１の部分ついての第１のランダムアクセス無線ネットワーク一時識別子（ＲＡ−ＲＮＴＩ）に少なくとも部分的に基づくことができる。いくつかの例では、ＰＲＡＣＨ時間及び周波数リソースは複数の部分を含むことができ、異なるＰＲＡＣＨプリアンブル送信のために各部分を予約することができる。各部分についてのＲＡ−ＲＮＴＩは異なることがあり、ＰＤＳＣＨブロック内に含まれる周期的冗長検査（ＣＲＣ）ブロックの少なくとも一部を第１のＲＡ−ＲＮＴＩによってスクランブルすることができる。
【００６４】
進化型ノードＢ（ｅＮＢ）の一例も本明細書で開示する。ｅＮＢは、ＰＲＡＣＨ時間及び周波数リソースの第１の部分で、ユーザ機器（ＵＥ）との間のランダムアクセス手順の部分として物理ランダムアクセスチャネル（ＰＲＡＣＨ）プリアンブルを受信するように構成されたハードウェア処理回路を備えることができる。ＵＥでの受信のために、ＰＲＡＣＨプリアンブルに対するランダムアクセス応答（ＲＡＲ）を含む物理ダウンリンク共用チャネル（ＰＤＳＣＨ）ブロックを送信するようにハードウェア処理回路をさらに構成することができる。ＰＤＳＣＨブロックは、ＰＲＡＣＨリソースの第１の部分についての第１のランダムアクセス無線ネットワーク一時識別子（ＲＡ−ＲＮＴＩ）に少なくとも部分的に基づくことができる。ＵＥがマシンタイプ通信（ＭＴＣ）動作のために構成されるとき、ＰＤＳＣＨブロックに対する物理ダウンリンク制御チャネル（ＰＤＣＣＨ）ブロックの送信を控えるようにハードウェア処理回路をさらに構成することができる。いくつかの例では、ＰＤＳＣＨブロックは、ＰＤＳＣＨブロックがＵＥのためのものであるであることを示すために、第１のＲＡ−ＲＮＴＩに少なくとも部分的に基づくことができる。
【００６５】
いくつかの例では、ＰＲＡＣＨリソースは複数の部分を含むことができ、各部分を異なるＲＡ−ＲＮＴＩに関連付けることができる。いくつかの例では、ＰＤＳＣＨブロック内に含まれる周期的冗長検査（ＣＲＣ）ブロックの少なくとも一部を第１のＲＡ−ＲＮＴＩによってスクランブルすることができる。いくつかの例では、ＰＤＳＣＨブロックは、第１のＲＡ−ＲＮＴＩを含むメディアアクセス制御（ＭＡＣ）プロトコロルデータ単位（ＰＤＵ）を含むことができる。いくつかの例では、第２のＵＥに第２のＰＤＳＣＨブロックを送信し、第２のＵＥがＭＴＣ動作のために構成されないとき、第２のＰＤＳＣＨブロックについての受信情報を含む第２のＰＤＣＣＨブロックを送信するようにハードウェア処理回路をさらに構成することができる。いくつかの例では、ｅＮＢは、ＰＲＡＣＨプリアンブルを受信するように構成され、ＰＤＳＣＨブロックを送信するようにさらに構成された１つ以上のアンテナをさらに備えることができる。
【００６６】
３７  Ｃ．Ｆ．Ｒ．に準拠するように要約を与える。セクション．１．７２（ｂ）は、技術的開示の性質及び要点を読者が確認することを可能にする要約を要求する。特許請求の範囲の範囲又は意味を限定又は解釈するために要約が使用されるのではないという理解と共に要約を提出する。以下の特許請求の範囲は詳細な説明に組み込まれ、各請求項は別々の実施形態としてそれ自体に依存する。
【図１】
2017508361.tif 000003
【図２】
2017508361.tif 000004
【図３】
2017508361.tif 000005
【図４】
2017508361.tif 000006
【図５】
2017508361.tif 000007
【図６】
2017508361.tif 000008
【図７】
2017508361.tif 000009
【国際調査報告】
2017508361.tif 000010
2017508361.tif 000011